(57)【要約】【課題】  駆動対象となる表示部を薄型化及び軽量化が可能な表示装置を提供する。【解決手段】  表示部１１０内には画像データを生成等する表示制御回路や電源回路等が搭載されたＰＣＡを配設せずに、インターフェース回路１３２及びキー素子１３３1，１３３2が搭載された小規模ＰＣＡを配設する。そして、表示制御回路を含む制御部１５０は、シャーシ内に常に位置するようにして、可撓性を有する接続部材１６０で、表示部１１０と制御部１５０とを電気的に接続する。【選択図】  図１
2008051929.tif 000002
【特許請求の範囲】
【請求項１】
表示手段を含む表示部と；
前記表示手段における表示画像データを作成して前記表示手段へ送るとともに、前記表示手段の表示動作を制御する表示制御手段を含む制御部と；
前記表示部と前記制御部との間における信号経路を形成する可撓性の接続手段と；
前記表示部の駆動指令を受けた場合に、前記表示部を駆動する駆動手段と；
を備えることを特徴とする表示装置。
【請求項２】
前記表示手段は、
液晶表示パネルと；
発光ダイオードを光源とし、前記液晶パネルを表示面の反対側から照明するバックライト手段と；
を備えることを特徴とする請求項１に記載の表示装置。
【請求項３】
前記表示手段は、有機エレクトロルミネッセンスディスプレイを備える、ことを特徴とする請求項１に記載の表示装置。
【請求項４】
前記表示手段が動作していないときに、前記表示部及び前記制御部を収納する収納手段を更に備え、
前記駆動指令が前記表示部の取出指令であった場合には、前記駆動手段は、前記制御部を前記収納手段内に残留させつつ、前記表示部を前記収納手段の外部へ移動させた後、前記表示部を動作用姿勢に設定し、
前記駆動指令が前記表示部の収納指令であった場合には、前記駆動手段は、前記表示部を収納用姿勢に設定した後、前記表示部を前記収納手段内に移動させる、
ことを特徴とする請求項１〜３のいずれか一項に記載の表示装置。
【請求項５】
移動体に搭載されることを特徴とする、請求項１〜４のいずれか一項に記載の表示装置。
【発明の詳細な説明】
【技術分野】
【０００１】
本発明は、表示画面を有する表示部の位置又は姿勢を変化させることができる表示装置に関する。
【背景技術】
【０００２】
従来から、車載のナビゲーション装置やテレビ受像機等において採用されるインダッシュ方式等のように、多くの装置において、非表示動作時の場合と表示動作時の場合とで、表示画面を有する表示部の位置又は姿勢を変化させる方式が採用されている。例えば、インダッシュ方式の場合には、非表示動作時には表示部を表示装置のシャーシ内に収納するとともに、表示動作時には表示部を表示装置のシャーシ外に取り出したうえで、表示面が利用者にとって見やすい姿勢となるように、回転駆動等により表示部の姿勢が設定される。
【０００３】
上述したような表示装置では、表示部が、液晶パネルとバックライトとの組み合わせ等からなる表示手段とともに、当該表示手段の表示動作を制御する表示制御回路が搭載されたプリント回路板アセンブリ（以下、単に「ＰＣＡ」とも記す）を備えた構成とされることが一般的である（以下、「従来例」という：特許文献１，２等参照）。こうした場合、当該ＰＣＡは、表示手段に対して、当該表示手段の表示面側とは反対側に配置される。
【０００４】
また、表示部における表示手段が、液晶パネルとバックライトとの組み合わせである場合には、バックライトの光源としては冷陰極管が一般的に採用されている。これに対して、発光ダイオード（以下、単に「ＬＥＤ」とも記す）を光源とする技術も提案されている（特許文献１参照）。
【０００５】
【特許文献１】特開２００５−２３８９３９号公報
【特許文献２】特開２０００−３０９２４７号公報
【発明の開示】
【発明が解決しようとする課題】
【０００６】
上述した従来例の技術では、表示部は、表示手段と、表示制御回路が搭載されたＰＣＡとを備える。このため、表示部の薄型化及び軽量化には限界があった。かかる薄型化及び軽量化の限界は、表示装置における表示部以外の部分の配置設計に関する自由度を大きく制約することになる。こうした制約を改善することが、本発明の解決すべき課題の一つとして挙げられる。
【０００７】
本発明は、上記の事情を鑑みてなされたものであり、駆動対象となる表示部を薄型化及び軽量化が可能な表示装置を提供することを目的とする。
【課題を解決するための手段】
【０００８】
請求項１に記載の発明は、表示手段を含む表示部と；前記表示手段における表示画像データを作成して前記表示手段へ送るとともに、前記表示手段の表示動作を制御する表示制御手段を含む制御部と；前記表示部と前記制御部との間における信号経路を形成する可撓性の接続手段と；前記表示部の駆動指令を受けた場合に、前記表示部を駆動する駆動手段と；を備えることを特徴とする表示装置である。
【発明を実施するための最良の形態】
【０００９】
以下、本発明の一実施形態を、図１〜図８を参照して説明する。なお、以下の説明及び図においては、同一又は同等の要素には同一の符号を付し、重複する説明を省略する。
【００１０】
［構成］
図１には、本実施形態に係る表示装置１００の概略的な機能構成がブロック図にて示されている。この図１に示されるように、表示装置１００は、表示部１１０と、制御部１５０と、接続手段としての接続部材１６０と、駆動手段としての駆動部１７０とを備えている。また、表示装置１００は、収納手段としてのシャーシ１９０（図２参照）を備えている。
【００１１】
この表示装置１００は、使用時には、図２（Ａ）に示されるように、表示部１１０がシャーシ１９０の外部に取り出されるとともに、表示部１１０における表示面１１１Ａが所定の姿勢となり、非使用時には、図２（Ｂ）に示されるように、表示部１１０がシャーシ１９０の内部に収納されるようになっている。すなわち、表示装置１００は、車両等の移動体への搭載に便利なインダッシュ型の表示装置となっている。なお、こうした表示部１１０の移動は、後述するように駆動部１７０（図１参照）による駆動によって行われる。
【００１２】
なお、以下の説明で参照する図３〜図５には、表示部１１０が図２（Ａ）に示される使用時の姿勢であるとした場合における配置関係で、表示部１１０の構成要素が図示されている。
【００１３】
表示部１１０は、この表示部１１０は、図３に示されるように、表示手段としての表示デバイス１１１と、プリント回路板アセンブリ（以下、「ＰＣＡ」とも記す）１１５とを備えている。表示部１１０は、不図示のシャーシを更に備えており、当該シャーシに、不図示の固定部材を介して表示デバイス１１１及びＰＣＡ１１５が固定されている。ここで、ＰＣＡ１１５は、表示デバイス１１１の−Ｙ方向側に配設されている。このため、表示部１１０のＺ軸方向の長さ、すなわち、表示部１１０の厚さは表示デバイス１１１の厚さと同様となり、従来の場合と比べて大きく減じられている。なお、表示部１１０の重量も、従来の場合における表示制御回路を搭載したＰＣＡの分だけ、従来の場合と比べて減じられている。
【００１４】
ＰＣＡ１１５からは接続部材１１６を介して表示デバイス１１１に表示制御信号、動作電力が供給されるようになっている。ここで、本実施形態では、接続部材１１６としてはフレキシブルプリント配線板（以下、「ＦＰＣ」とも記す）が採用されている。
【００１５】
表示デバイス１１１は、図４に示されるように、液晶表示パネル１２１と、バックライト手段としてのバックライト部１２２とを備えている。ここで、バックライト部１２２は、発光ダイオード（ＬＥＤ）を発光手段とする光源部１２６と、液晶表示パネル１２１側とは反対側の表面に反射膜が形成された導光板１２７とを備えている。
【００１６】
光源部１２６は、発光手段としてのＬＥＤが複数個配列されたＬＥＤアレイを備えている。このＬＥＤアレイに接続部材１１６を介して動作電力が供給されている状態で、やはり接続部材１１６を介して点灯指令を受けると、導光板１２７へ向けて光を射出する。導光板１２７に入射した光は、導光板１２７内を進行し、直接的に、又は反射膜により反射された後に、液晶表示パネル１２１へ向けて導光板１２７から射出される。この結果、液晶表示パネル１２１が照明される。
【００１７】
なお、光源部１２６は発光手段としてＬＥＤを使用しているので、制御部１５０から、接続部材１６０、ＰＣＡ１１５及び接続部材１１６を介して供給される動作電力の電圧は高々３０Ｖ程度の低電圧で足りる。このため、接続部材１６０及び接続部材１１６はＦＰＣを利用できるようになっている。
【００１８】
ＰＣＡ１１５は、図５（Ａ）及び図５（Ｂ）により総合的に示されるように、プリント配線板１３１と、インターフェース回路（ＩＦＣ）１３２と、キー素子１３３1，１３３2と、コネクタ１３６，１３７とを備えている。ここで、図５（Ａ）に示されるように、ＩＦＣ１３２と、キー素子１３３1，１３３2とは、プリント配線板１３１の−Ｚ方向側表面上に搭載されている。また、図５（Ｂ）に示されるように、コネクタ１３６，１３７は、プリント配線板１３１の＋Ｚ方向側表面上に搭載されている。
【００１９】
プリント配線板１３１には、不図示の導体パターン、スルーホールが形成されている。かかる導体パターン、スルーホールにより、ＩＦＣ１３２、キー素子１３３1，１３３2及びコネクタ１３６，１３７の相互間において、必要な電気的な接続が実現されている。
【００２０】
ＩＦＣ１３２は、制御部１５０から接続部材１６０を介して供給された画像信号を、表示デバイス１１１に整合する信号形式に変換し、接続部材１１６を介して表示デバイス１１１に供給する（図１参照）。本実施形態では、ＩＦＣ１３２は、ＬＶＤＳ（Low Voltage Differential Signaling）方式により制御部１５０とのインターフェーシングを図るＬＳＩ（Large Scale Integrated circuit）チップを備えている。
【００２１】
キー素子１３３1，１３３2は、上記の図２（Ａ）に示されるように、キートップ部分が外部に露出される。そして、利用者がキー素子１３３1，１３３2を押下すると、その旨が、接続部材１６０を介して制御部１５０へ通知される（図１参照）。
【００２２】
図５（Ｂ）に戻り、コネクタ１３６は、プリント配線板１３１の＋Ｚ方向側表面の−Ｙ方向端部に搭載され、接続部材１６０の一方の端部が挿入される。コネクタ１３７は、プリント配線板１３１の＋Ｚ方向側表面の＋Ｙ方向端部に搭載され、接続部材１１６の一方の端部が挿入される。
【００２３】
制御部１５０は、図６に示されるように、基台１５１と、ＰＣＡ１５５とを備えている。ここで、ＰＣＡ１５５は、不図示の固定部材により基台１５１に固定されている。
【００２４】
ＰＣＡ１５５は、プリント配線板１５６と、コネクタ１５７と、回路素子１５８1，１５８2，１５８3，…とを備えている。ここで、コネクタ１５７と、回路素子１５８1，１５８2，１５８3，…は、プリント配線板１５６の＋Ｙ方向側表面上に搭載されている。
【００２５】
プリント配線板１５６には、不図示の導体パターン、スルーホールが形成されている。かかる導体パターン、スルーホールにより、コネクタ１５７及び回路素子１５８1，１５８2，１５８3，…の相互間において、必要な電気的な接続が実現されている。
【００２６】
コネクタ１５７は、プリント配線板１５６の−Ｚ方向端部に搭載され、接続部材１６０の他方の端部が挿入される。
【００２７】
回路素子１５８1，１５８2，１５８3，…には、中央処理装置（ＣＰＵ）、リードオンリメモリ（ＲＯＭ）素子、ランダムアクセスメモリ（ＲＡＭ）素子、整流素子、抵抗素子、容量素子等の回路素子が含まれる。これらの回路素子がプリント配線板１５６を介して接続されることにより、表示制御や駆動制御を行う制御回路、電源回路が構成されるようになっている。
【００２８】
制御回路は、不図示のリモコン装置や上述のキー素子１３３1，１３３2等を用いて入力された操作入力に従って、表示部１１０において表示される画像のデータを生成し、接続部材１６０を介して、表示部１１０に送信する。また、制御回路は、リモコン装置等からの取出指令及び収納指令に従って、表示部１１０の駆動制御信号を駆動部１７０（図１参照）へ送る。なお、本実施形態では、取出指令はリモコン装置から制御部１５０に通知され、また、収納指令はリモコン装置又はキー素子１３３1，１３３2から通知されるようになっている。
【００２９】
電源回路は、車載の表示装置の場合におけるバッテリから供給される電力等の外部から供給される電力を利用して、制御部１５０内の制御回路の動作電力、並びに表示部１１０内の液晶表示パネル１２１、光源部１２６及びＩＦＣ１３２に供給するための動作電力を所定電圧で生成する。こうして生成された動作電力の内、表示部１１０のための動作電力は、接続部材１６０を介して、表示部１１０に供給される。
【００３０】
以上のように構成される制御部１５０では、厚さ（Ｙ軸方向の幅）が基台１５１の厚さとＰＣＡ１５５の厚さとの和となる。このため、ＰＣＡ１５５における回路素子の高さを制限することで、制御部１５０の厚さを所望値以下とすることができる。本実施形態では、制御部１５０の厚さは、表示部１１０の厚さ以下となるように設定されている。
【００３１】
接続部材１６０は、可撓性を有するＦＰＣにより構成されている。この接続部材１６０には、図７に示されるように、一方側の表面に両端部ＥＤＬ，ＥＤＲ間を結ぶ導体パターンＰＴ1〜ＰＴNが形成されている。また、接続部材１６０の他方側の表面にも両端部ＥＤＬ，ＥＤＲ間を結ぶ導体パターンが形成されている。そして、両端部ＥＤＬ，ＥＤＲの一方が表示部１１０内のＰＣＡ１１５に搭載された上述のコネクタ１３６に挿入され、他方が制御部１５０内のＰＣＡ１５５に搭載された上述のコネクタ１５７に挿入されるようになっている。
【００３２】
駆動部１７０は、モータ、ギア、ガイドレール等から構成され、表示部１１０及び制御部１５０を駆動する。この駆動部１７０は、制御部１５０からの駆動制御信号に従って、表示部１１０を並進駆動するとともに、回転駆動する。また、駆動部１７０は、制御部１５０を並進駆動する。かかる制御部１５０による制御の下で行われる駆動態様については後述する。
【００３３】
［動作］
次に、上記のように構成された表示装置１００の動作について、表示部１１０及び制御部１５０の駆動動作に主に着目して説明する。
【００３４】
表示装置１００が使用されておらず、表示動作が行われていないときには、図８（Ａ）に示されるように、表示部１１０は、表示面がＸＺ面と平行となる収納用姿勢で、シャーシ１９０内に収納されている。この場合、表示部１１０はシャーシ１９０内の収納空間における−Ｚ方向側の領域に収納される。そして、制御部１５０は、当該収納空間における＋Ｚ方向側の領域に、表示部１１０と並んで収納される。
【００３５】
ここで、表示部１１０の厚さ（図８（Ａ）ではＹ軸方向の幅）は、上述したように、従来と比べて薄型化されている。また、制御部１５０の厚さは、上述のように、表示部１１０の厚さ以下とされているので、収納空間のＹ軸方向幅は、従来の表示部を収納する場合よりも小さくされている。
【００３６】
こうした表示の収納状態において、利用者が不図示のリモコン装置を操作して表示部１１０の取出しの指令入力を行うと、リモコン装置から制御部１５０へ取出指令が送られる。この取出指令を受けた制御部１５０は、まず、駆動部１７０に対して、表示部１１０及び制御部１５０の−Ｚ方向への並進駆動指令を送る。この並進駆動指令を受けた駆動部１７０は、表示部１１０及び制御部１５０を−Ｚ方向へ移動させる。
【００３７】
かかる表示部１１０及び制御部１５０の−Ｚ方向への移動により、図８（Ｂ）に示されるように、表示部１１０がシャーシ１９０外に移動すると、制御部１５０は、駆動部１７０に対して、表示部１１０及び制御部１５０の−Ｚ方向への並進駆動停止指令を送る。引き続き、制御部１５０は、駆動部１７０に対して、表示部１１０を表示動作実行時の姿勢（図２（Ａ）及び図８（Ｃ）参照）への回転駆動指令を送る。この回転駆動指令を受けた駆動部１７０は、表示部１１０を回転させる。かかる表示部１１０の回転駆動に際して、表示部１１０は従来の表示部よりも軽量化されているので、表示部１１０の回転駆動に必要となる駆動パワーは、従来の表示部を回転駆動する場合よりも小さくてすむ。
【００３８】
表示部１１０が回転して、図８（Ｃ）に示されるように、表示部１１０が表示動作実行時の姿勢である動作用姿勢となると、制御部１５０は、駆動部１７０に対して、表示部１１０の回転駆動停止指令を送る。この結果、表示部１１０の姿勢が表示動作実行時の姿勢に固定される。
【００３９】
次に、制御部１５０は、接続部材１６０を介して、表示部１１０の液晶表示パネル１２１及び光源部１２６に対する電力供給を開始するとともに、点灯指令を光源部１１２へ送る。この結果、表示部１１０における液晶表示パネル１２１に対する照明操作が開始される。
【００４０】
引き続き、制御部１５０は、液晶表示パネル１２１に表示すべき初期メニュー画像等の画像のデータを生成し、接続部材１６０を介して、液晶表示パネル１２１へ送る。この結果、液晶表示パネル１２１に画像が表示される。
【００４１】
以後、制御部１５０は、リモコン装置やキー素子１３３1，１３３2等を用いて入力された操作入力に従って、表示部１１０において表示される画像のデータを生成し、接続部材１６０を介して、表示部１１０に送信する。そして、制御部１５０から送られてきた画像データに対応する画像が表示部１１０において表示される。
【００４２】
表示部１１０が図８（Ｃ）の位置及び姿勢にあるときに、利用者がリモコン装置又はキー素子１３３1，１３３2を操作して表示部１１０の収納の指令入力を行うと、リモコン装置又はキー素子１３３1，１３３2から制御部１５０へ収納指令が送られる。この週納指令を受けた制御部１５０は、液晶表示パネル１２１への画像データの送信を停止するとともに、液晶表示パネル１２１及び光源部１２６に対する電力供給を停止する。
【００４３】
次に、制御部１５０は、駆動部１７０に対して、表示部１１０における表示面がＸＺ面と平行となる収納姿勢への回転駆動指令を送る。この収納姿勢への回転駆動指令を受けると、駆動部１７０は、表示部１１０を回転させる。かかる表示部１１０の回転駆動に際しても、表示部１１０は従来の表示部よりも軽量化されているので、表示部１１０の回転駆動に必要となる駆動パワーは、従来の表示部を回転駆動する場合よりも小さくてすむ。
【００４４】
表示部１１０の回転により、図８（Ｂ）に示されるように、表示部１１０が収納姿勢となると、制御部１５０は、駆動部１７０に対して、表示部１１０の回転駆動停止指令を送る。この結果、表示部１１０の姿勢が収納姿勢に固定される。
【００４５】
次いで、制御部１５０は、駆動部１７０に対して、表示部１１０及び制御部１５０の＋Ｚ方向への並進駆動指令を送る。この並進駆動指令を受けた駆動部１７０は、表示部１１０及び制御部１５０を＋Ｚ方向へ移動させる。
【００４６】
かかる表示部１１０及び制御部１５０の＋Ｚ方向への移動により、図８（Ａ）に示されるように、表示部１１０の全体がシャーシ１９０内に移動すると、制御部１５０は、駆動部１７０に対して、表示部１１０及び制御部１５０の＋Ｚ方向への並進駆動停止指令を送る。こうして、表示部１１０のシャーシ１９０内への収納が完了する。
【００４７】
以上説明したように、本実施形態の表示装置１００では、表示部１１０内には画像データを生成等する表示制御回路や電源回路等が搭載されたＰＣＡを配設せずに、ＩＦＣ１３２及びキー素子１３３1，１３３2が搭載された小規模ＰＣＡ１１５を配設する。そして、表示制御回路を含む制御部１５０は、シャーシ１９０内に常に位置するようにして、可撓性を有する接続部材１６０で、表示部１１０と制御部１５０とを電気的に接続する。したがって、表示部１１０を薄型化及び軽量化することができる。このため、表示装置１００における表示部１１０以外の部分の配置設計に関する自由度を大きくすることができるとともに、駆動部１７０の構成を簡素化でき、駆動用電力の消費量を低減することができる。
【００４８】
また、本実施形態の表示装置１００では、表示部１１０の光源部１２６における発光手段としてＬＥＤを採用しているので、動作用電圧が低電圧ですむので、表示部１１０内のＰＣＡ１１５に昇圧トランス等を搭載する必要が無いとともに、接続部材１６０としてＦＰＣという配線密度を高くすることができるとともに、取扱いの利便性が高い部材を採用することができる。
【００４９】
また、本実施形態の表示装置１００では、表示制御のためのＣＰＵ等と、表示制御以外の制御のためのＣＰＵ等とを別個に用意することなく共通化することができるので、部品点数を減らすことができる。
【００５０】
［実施形態の変形］
本発明は、上記の実施形態に限定されるものではなく、様々な変形が可能である。
【００５１】
例えば、上記の実施形態では、表示部１１０における表示デバイス１１１が液晶表示パネル１２１、光源部１２６及び導光板１２７を備える構成としたが、動作電圧が高々５０Ｖ程度という低電圧の有機エレクトロルミネッセンスディスプレイにより表示デバイスを構成するようにすることもできる。
【００５２】
また、表示部１１０において、液晶表示パネル１２１の表示面にタッチパネル用の膜を配設するようにし、当該膜における利用者のタッチ位置を制御部１５０へ送るようにすることもできる。この場合にも、表示部内に配設するＰＣＡは回路規模を小さくできるので、表示部の薄型化及び軽量化を維持することができる。
【００５３】
また、表示部１１０に配設するキー素子の数は任意であり、更に、キー素子を配設しないようにすることもできる。
【００５４】
また、上記の実施形態では、本発明をインダッシュ型の表示装置に適用したが、非使用時には、図９（Ａ）に示されるように、表示部２１０の裏面がシャーシ２９０の端面に密着し、使用時には、図９（Ｂ）に示されるように、表示部２１０の姿勢が変化するような表示装置２００等にも本発明を適用できることは、勿論である。
【図面の簡単な説明】
【００５５】
【図１】本発明の一実施形態に係る表示装置の構成を概略的に示す機能ブロック図である。
【図２】図１の装置の表示使用時及び非表示動作時の外観を説明するための斜視図である。
【図３】図１の装置における表示部における内部構成を説明するための図である。
【図４】図３の表示デバイスの構成を説明するための図である。
【図５】図３のＰＣＡの構成を説明するための斜視図である。
【図６】図１の装置における制御部の構成を説明するための斜視図である。
【図７】図１の装置における接続部材の構成を説明するための斜視図である。
【図８】図１の装置における表示部の取出動作及び収納動作を説明するための図である。
【図９】変形例を説明するための図である。
【符号の説明】
【００５６】
１００，２００    …  表示装置
１１０，２１０    …  表示部
１１１            …  表示デバイス（表示手段）
１２１            …  液晶表示パネル
１２２            …  バックライト部（バックライト手段）
１５０，２５０    …  制御部
１６０            …  接続部材（接続手段）
１７０            …  駆動部（駆動手段）
１９０            …  シャーシ（収納手段）
【図１】
2008051929.tif 000003
【図２】
2008051929.tif 000004
【図３】
2008051929.tif 000005
【図４】
2008051929.tif 000006
【図５】
2008051929.tif 000007
【図６】
2008051929.tif 000008
【図７】
2008051929.tif 000009
【図８】
2008051929.tif 000010
【図９】
2008051929.tif 000011